【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】
放射線を受光した領域である照射野領域の端部が画像データ中の対象領域に有るか無いかを判別する画像判別方法であって、
前記対象領域から前記照射野領域の照射端の候補を複数抽出する照射端抽出ステップと、
前記抽出した照射端の候補の座標間における位置関係に基づき前記端部が画像データ中の対象領域に有るか無いかを判別する判別ステップと、
を備えることを特徴とする画像判別方法。
【請求項２】
前記判別ステップは、前記照射端候補の座標の位置関係を評価する評価値を算出する算出ステップを備え、
該評価値に基づき前記端部が画像データ中の対象領域に有るか無いかを判別することを特徴とする請求項１に記載の画像判別方法。
【請求項３】
前記判別ステップは、前記照射端の複数の候補が前記対象領域内に直線状に並ぶ場合には、前記対象領域内に前記端部が有ると判別することを特徴とする請求項１に記載の画像判別方法。
【請求項４】
前記照射端抽出ステップは、
前記対象領域から１次元画像データを抽出する列を複数指示する座標指示ステップと、
前記座標指示ステップの指示に従った前記対象領域の１次元画像データから特性値を得る特性値取得ステップと、
前記特性値取得ステップで得られた特性値から前記照射野領域の照射端の候補の座標を抽出する照射端抽出ステップと、
を備えることを特徴する請求項１に記載の画像判別方法。
【請求項５】
前記対象領域のプロジェクションを作成して前記１次元画像データとする累積画像データ作成ステップをさらに含み、
前記照射端抽出ステップは、前記累積画像データ作成ステップで得られた１次元画像データに対して処理を実行するステップを含むことを特徴とする請求項４に記載の画像判別方法。
【請求項６】
前記特性値取得ステップは、２次差分値を前記特性値として得るステップを含むことを特徴とする請求項４に記載の画像判別方法。
【請求項７】
前記算出ステップは、前記複数の照射端候補における位置座標の分散値を評価値とすることを特徴とする請求項２に記載の画像判別方法。
【請求項８】
前記判別ステップは、前記分散値が前記所定値以下である場合には、前記対象領域内に前記端部が有ると判別することを特徴とする請求項７に記載の画像判別方法。
【請求項９】
請求項１〜８の何れか１項に記載の画像判別方法の処理ステップをコンピュータに実行させるプログラムを格納したことを特徴とするコンピュータ読み取り可能な記憶媒体。
【請求項１０】
画像データ中の対象領域に照射しぼりが有るか無いかを判別する画像判別装置であって、
前記対象領域から前記照射野領域の照射端の候補を複数抽出する照射端抽出手段と、
前記抽出した照射端の候補の座標間における位置関係に基づき前記対象領域に照射しぼりが有るか無いかを判別する判別手段と、
を備えることを特徴とする画像判別装置。
【手続補正２】
【補正対象書類名】明細書
【補正対象項目名】００１１
【補正方法】変更
【補正の内容】
【００１１】
【課題を解決するための手段】
斯かる目的下において、第１の発明に係る画像判別方法は、放射線を受光した領域である照射野領域の端部が画像データ中の対象領域に有るか無いかを判別する画像判別方法であって、前記対象領域から前記照射野領域の照射端の候補を複数抽出する照射端抽出ステップと、前記抽出した照射端の候補の座標間における位置関係に基づき前記端部が画像データ中の対象領域に有るか無いかを判別する判別ステップと、を備えることを特徴とする。
【手続補正３】
【補正対象書類名】明細書
【補正対象項目名】００１２
【補正方法】変更
【補正の内容】
【００１２】
第２の発明に係る画像判別方法は、上記第１の発明において、前記判別ステップは、前記照射端候補の座標の位置関係を評価する評価値を算出する算出ステップを備え、該評価値に基づき前記端部が画像データ中の対象領域に有るか無いかを判別することを特徴とする。
【手続補正４】
【補正対象書類名】明細書
【補正対象項目名】００１３
【補正方法】変更
【補正の内容】
【００１３】
第３の発明に係る画像判別方法は、上記第１の発明において、前記照射端の複数の候補が前記対象領域内に直線状に並ぶ場合には、前記対象領域内に前記端部が有ると判別することを特徴とする。
【手続補正５】
【補正対象書類名】明細書
【補正対象項目名】００１４
【補正方法】変更
【補正の内容】
【００１４】
第４の発明に係る画像判別方法は、上記第１の発明において、前記照射端抽出ステップは、前記対象領域から１次元画像データを抽出する列を複数指示する座標指示ステップと、前記座標指示ステップの指示に従った前記対象領域の１次元画像データから特性値を得る特性値取得ステップと、前記特性値取得ステップで得られた特性値から前記照射野領域の照射端の候補の座標を抽出する照射端抽出ステップと、を備えることを特徴する。
【手続補正６】
【補正対象書類名】明細書
【補正対象項目名】００１５
【補正方法】変更
【補正の内容】
【００１５】
第５の発明に係る画像判別方法は、上記第４の発明において、前記対象領域のプロジェクションを作成して前記１次元画像データとする累積画像データ作成ステップをさらに含み、前記照射端抽出ステップは、前記累積画像データ作成ステップで得られた１次元画像データに対して処理を実行するステップを含むことを特徴とする。
【手続補正７】
【補正対象書類名】明細書
【補正対象項目名】００１６
【補正方法】変更
【補正の内容】
【００１６】
第６の発明に係る画像判別方法は、上記第４の発明において、前記特性値取得ステップは、２次差分値を前記特性値として得るステップを含むことを特徴とする。
【手続補正８】
【補正対象書類名】明細書
【補正対象項目名】００１７
【補正方法】変更
【補正の内容】
【００１７】
第７の発明に係る画像判別方法は、上記第２の発明において、前記算出ステップは、前記複数の照射端候補における位置座標の分散値を評価値とすることを特徴とする。
【手続補正９】
【補正対象書類名】明細書
【補正対象項目名】００１８
【補正方法】変更
【補正の内容】
【００１８】
第８の発明に係る画像判別方法は、上記第７の発明において、前記判別ステップは、前記分散値が前記所定値以下である場合には、前記対象領域内に前記端部が有ると判別することを特徴とする。
【手続補正１０】
【補正対象書類名】明細書
【補正対象項目名】００１９
【補正方法】変更
【補正の内容】
【００１９】
第９の発明に係るコンピュータ読み取り可能な記憶媒体は、上記第１の発明〜第８の発明の何れかの画像判別方法の処理ステップをコンピュータに実行させるプログラムを格納したことを特徴とする。
【手続補正１１】
【補正対象書類名】明細書
【補正対象項目名】００２０
【補正方法】変更
【補正の内容】
【００２０】
第１０の発明に係る画像判別装置は、画像データ中の対象領域に照射しぼりが有るか無いかを判別する画像判別装置であって、前記対象領域から前記照射野領域の照射端の候補を複数抽出する照射端抽出手段と、前記抽出した照射端の候補の座標間における位置関係に基づき前記対象領域に照射しぼりが有るか無いかを判別する判別手段と、を備えることを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】